(57)【特許請求の範囲】
【請求項１】
壁紙の裏面に糊を塗布する自動糊付機において、糊付機本体前方底部に設けられ、糊箱底部をガイドする本体ガイドレールと、本体後方底部に設けられ、糊箱底部に設けた湾曲ガイド部と係合して糊箱底部をガイドする糊箱受けと、糊箱底部に設けられ、糊箱の後部に向けて凹状に湾曲したガイド部を備え、糊箱挿着時にガイド部の湾曲形状に沿って、糊上ローラーを、糊付ローラーの下部をくぐり抜け糊付ローラーのドクターローラー側にガイドして定置することを特徴とする自動糊付機。
【請求項２】
壁紙の裏面に糊を塗布する自動糊付機において、糊付機本体前方底部に設けられ、糊箱底部をガイドする本体ガイドレールと、本体後方底部に設けられ、糊箱底部に設けた湾曲ガイド部と係合して糊箱底部をガイドする糊箱受けと、糊箱両側面に設けられ、糊箱の後部に向けて凹状に湾曲したガイド部を有するガイドレールを備え、糊箱挿着時にガイドレールの湾曲形状に沿って、糊上ローラーを糊付ローラーの下部をくぐり抜け糊付ローラーのドクターローラー側にガイドして定置することを特徴とする自動糊付機。
【請求項３】
糊付機本体前方側面に、糊箱を糊付ローラーと干渉しない位置ガイドするガイド部材と、糊箱後方側面に設けられ、前記ガイド部材に当接し、糊箱をガイドするガイドレールを設けたことを特徴とする請求項１または２記載の自動糊付機。
【請求項４】
糊箱受けを、糊上ローラーと糊付ローラー間の隙間を調整できるように、糊付機本体に調整可能に取設したことを特徴とする請求項１〜３いずれかに記載の壁紙糊付機。
【請求項５】
ガイド部は、糊上ローラーの支持軸を通る垂直の後方から、糊箱の後方に向けて凹状に湾曲していることを特徴とする請求項１〜４いずれかに記載の壁紙糊付機。
【請求項６】
糊箱受けを、糊上ローラーと糊箱後方壁面との中間より内側の糊上ローラー寄りに設けたことを特徴とする請求項１〜５いずれかに記載の壁紙糊付機。
【発明の詳細な説明】
【技術分野】
【０００１】
本発明は、壁紙糊付機に関するもので、糊上ローラーをドクターローラー寄りに配置した壁紙糊付機において、糊箱受けを調整可能とすることにより、糊上ローラーと糊付ローラー間の隙間調整ができる糊箱ガイド手段を設けた壁紙糊付機に関する。
【背景技術】
【０００２】
従来より公知の自動壁紙糊付機の概略構成を図５に示す。
【０００３】
自動壁紙糊付機は、クロス（壁紙）Ａを挿入する側から、検尺ローラー１、送り出しローラー２、ハイテンションローラー３、ドクターローラー４、糊付ローラー５、糊上ローラー６、押えローラー７、ナラシローラー８が配置されている。
【０００４】
糊付される壁紙Ａは、検尺ローラー１と送り出しローラー２の２本のゴムローラーによって挟まれて、糊付機本体内に送り込まれ、糊付ローラー５により糊付けされ、予め設定しておいた長さに到達すると糊付機は自動で停止する。
【０００５】
機械停止後、作業者はカッターガイド１５に沿ってカッターナイフを走らせて、壁紙Ａを切断し、目的の長さの糊付けされた壁紙Ａを得る。
【０００６】
糊は、本体下部に設けられた糊箱９に貯えられている。
【０００７】
糊上ローラー６と糊付ローラー５の隙間を調整することにより、糊付ローラー５に転写する糊の厚みが調整される。
【０００８】
また、ドクターローラー４と糊付ローラー５の間隔を調整することにより、糊付ローラー５の外周に付着する糊の厚み、すなわち壁紙Ａへの糊付量が調整される。
【０００９】
このようにして厚みが調整された糊の層が糊付ローラー５上を送行する壁紙Ａの裏面に転写される。
【００１０】
糊の補給は、糊箱９を糊付機本体から引き出し、上方に生じる開口部から柄杓等を用いて糊を投入すること、あるいは自動糊供給装置によって行われる。
【００１１】
糊付された壁紙Ａはナラシローラー８によって転写された糊を均し、本体前面より送出される。
【００１２】
糊付機の洗浄時には、糊箱９を糊付機本体から引き出して、糊箱９に残っている糊をバケツ等へ戻し、ナラシローラー８と送り出しローラー２を取り外してから、水を含ませたスポンジ等で糊付ローラー５やドクターローラー４を洗い、次に、糊箱９を糊付機本体から完全に引き出し、水道等で洗浄される。
【００１３】
しかしながら、上記した装置では、糊箱９を糊付機本体から挿脱する際、糊箱９は糊箱受け１６や糊箱ストッパー１７等に接触しながら移動されるため、スムーズな挿脱ができないという問題点があった。
【００１４】
そこで、糊箱を糊付機本体からの挿脱をスムーズに行う手段として、実用新案登録第２５９３５３３号（特許文献１）が提案された。
【００１５】
上記提案は、糊付機本体と糊箱のいずれか一方に設けられ、糊箱をガイドするレールと、糊付機本体と糊箱のいずれか他方に設けられ、前記レールに沿って相対移動するローラーにより、糊箱の上縁が糊付ローラーと干渉しないで通過できるようにしたことを特徴としている。
【００１６】
しかし、機械の小型化・軽量化を進めるにあたり、壁紙糊付機における糊箱９は、限られた容積の中で可能な限り多くの有効糊量を確保する必要性がある。
【００１７】
粘性のある糊は図６（ａ）に示すように、糊上ローラー６の回転によって回転方向に引き込む流れを与えられ、この流れによって液面が静止液面から大きく変動し、糊上ローラー６の中心軸を境にして、一方の液面は上昇し、他方の液面は下降する。
【００１８】
従って、糊箱９内の有効糊量を増加するためには、液面の変動する位置以上に上縁位置を高くしておいたり、液面が上昇する側の容積を多くするために、図６（ｂ）に示すように、糊上ローラー６をドクターローラー４寄りに寄せて配置することが必要となった。
【００１９】
そのため、糊箱の上縁の位置を高くしても糊箱の出し入れをスムーズに行えるようにする手段として、特開２００１−１７０５３５号（特許文献２）が提案された。
【００２０】
上記提案は、従来の装置と同様に糊箱底部を受けて糊箱の出し入れを行う構成のままで、糊箱を糊付機本体から出し入れする際に、糊箱ストッパーと接触していた部分に移動用ローラーを配置し、糊箱上縁を高くしても、スムーズに糊箱の挿脱ができることを特徴としている。
【００２１】
さらに、糊供給時に糊箱を半分引き出した中間状態で、糊箱上縁が糊付ローラーに接触することなく糊箱を保持するガイドや、接触しても糊付ローラーを傷付けない柔らかい突起物を糊箱上縁に取り付ける等の提案もされている。
【００２２】
しかしこれらの提案では、糊上ローラーをドクターローラー寄りに寄せて配置することはできず、また、糊箱挿入の際には、糊付ローラーに糊箱が干渉するという問題は解決できていない。
【００２３】
そこで、糊上ローラー６をドクターローラー４寄りに寄せて配置する手段として、特開２００５−９６３８９号（特許文献３）が提案された。
【００２４】
上記提案は、糊付機本体の左右両側面の少なくとも一方の内壁面に設けられ、糊箱と糊上ローラーが糊付ローラーに干渉しない軌道を糊箱が移動するほぼ全領域に亘って連続的に有るレールと、糊付機本体内壁面に対面する糊箱外側面に設けられた摺動または回転走行する円筒状突起物を有し、また、糊箱挿入完了位置にて前記円筒状突起部がそれ以上の移動を規制する固定部を有することを特徴としている。
【００２５】
しかしこの提案では、糊付機本体の内壁面と、内壁面に対面している糊箱外側面に連続レール及びレールに沿う円筒突起物を配置している為、糊上ローラーと糊付ローラー間の隙間調整を行うことは困難で、また、その隙間を均等に且つ狭く配置をするためには、部品精度に頼らなければならず、そのためコスト増になるという課題を有していた。
【特許文献１】実用新案登録第２５９３５３３号公報
【特許文献２】特開２００１−１７０５３５号公報
【特許文献３】特開２００５−９６３８９号公報
【発明の開示】
【発明が解決しようとする課題】
【００２６】
糊上ローラーと糊付ローラーの隙間を均等、かつ狭く調整することは以下に記載する通り、自動壁紙糊付機において重要な課題である。
【００２７】
糊切れは糊上ローラーで充分に糊を掻き上げられない状態となった時に発生するのが、最初に糊上ローラーの両端部から糊切れ状態が現れる。
【００２８】
糊箱底面や壁面の糊は、糊の粘性により流動せず、そのため、糊上ローラー両端部においてはその底面と壁面の両方の影響を受ける。
【００２９】
そこで、糊上ローラーと糊付ローラーの隙間を均等、かつ狭く調整することにより、糊箱内の糊を糊上ローラーで掻き上げて、糊付ローラーに転写する際、余分に上がった糊が絞り戻されるように両側へ押し広げられて、糊切れし易い糊上ローラー両端部へ糊が均等に補充され、糊切れの発生を防止できる。
【００３０】
さらに、無効糊量を減らし、有効糊量を増加させることができる。
【００３１】
そのため、糊上ローラーをドクターローラー側に配置する壁紙糊付機において、糊箱の挿着時に、糊上ローラーを糊付ローラーと干渉せず、スムースにガイドするとともに、糊上ローラーと糊付ローラー間の隙間調整を行うようにすることは、自動壁紙糊付機において重要な課題となっている。
【課題を解決するための手段】
【００３２】
前記課題を解決するため、本発明の請求項１に係る発明は、壁紙の裏面に糊を塗布する自動糊付機において、糊付機本体前方底部に設けられ、糊箱底部をガイドする本体ガイドレールと、本体後方底部に設けられ、糊箱底部に設けた湾曲ガイド部と係合して糊箱底部をガイドする糊箱受けと、糊箱底部に設けられ、糊箱の後部に向けて凹状に湾曲したガイド部を備え、糊箱挿着時にガイド部の湾曲形状に沿って、糊上ローラーを、糊付ローラーの下部をくぐり抜け、糊付ローラーのドクターローラー側にガイドして定置することを特徴とする。
【００３３】
また、請求項２に係る発明は、壁紙の裏面に糊を塗布する自動糊付機において、糊付機本体前方底部に設けられ、糊箱底部をガイドする本体ガイドレールと、本体後方底部に設けられ、糊箱底部に設けた湾曲ガイド部と係合して糊箱底部をガイドする糊箱受けと、糊箱両側面に設けられ、糊箱の後部に向けて凹状に湾曲したガイド部を有するガイドレールを備え、糊箱挿着時にガイドレールの湾曲形状に沿って、糊上ローラーを、糊付ローラーの下部をくぐり抜け糊付ローラーのドクターローラー側にガイドして定置することを特徴とする。
【００３４】
また、請求項３に係る発明は、糊付機本体前部側面に、糊箱を糊付ローラーと干渉しない位置ガイドするガイド部材と、糊箱後部側面に設けられ、前記ガイド部材に当接し、糊箱をガイドするガイドレールを設けたことを特徴とする。
【００３５】
また、請求項４に係る発明は、糊箱受けを、糊上ローラーと糊付ローラー間の隙間を調整できるように、糊付機本体に調整可能に取設したことを特徴とする。
【００３６】
また、請求項５に係る発明は、ガイド部は、糊上ローラーの支持軸を通る垂直の後方から、糊箱の後方に向けて凹状に湾曲していることを特徴とする。
【００３７】
また、請求項６に係る発明は、糊箱受けを、糊上ローラーと糊箱後方壁面との中間より内側の糊上ローラー寄りに設けたことを特徴とする。
【発明の効果】
【００３８】
本発明の壁紙糊付機によると、糊箱を糊付機本体に挿着時に、簡単な機構により、糊上ローラーを糊付ローラーをくぐり抜けて、ドクターローラー側にガイドすることができ、かつ、糊付ローラーと糊上ローラーの間隔調整を容易に行うことができる。さらに糊箱に投入できる糊量を減少しても有効糊量を保つことができるため、糊箱を小型にすることができ、かつ作業後の清掃が容易に行うことができる壁紙糊付機を提供できる。
【発明を実施するための最良の形態】
【００３９】
〔実施の形態１〕
図１に本発明の実施の形態１の壁紙糊付機を示す。
【００４０】
図において、１は検尺ローラー、２は送り出しローラー、３はハイテンションローラー、４はドクターローラー、５は糊付ローラー、６は糊上ローラー、７は押えローラー、８はナラシローラーである。
【００４１】
９は糊箱で、糊箱９の後方底部（図１の左側底部）には糊箱底面が湾曲した形状とされた凹状湾曲ガイド部９ａが設けられている。ガイド部９ａは糊上ローラー６の支持軸６ａを通る垂線との交点より後方から湾曲し、糊箱９の後方に向けて凹状湾曲部を形成している。９ｂはガイド部９ａから糊箱底部中央部に向けて設けられる傾斜ガイド部である。１０は糊付機本体の後方底部に設けられる糊箱受けで、糊箱９のガイド部９ａと摺接し、糊箱９を図１（ｂ）に示すように、糊箱９のガイド部先端に当接した状態から、糊箱９を糊付機本体に押し込むことによって、糊箱９の後部９Ａを持ち上げながら、図１（ｃ）に示すように、挿着位置に定置され、糊上ローラー６は糊箱９に、ドクターローラー４側にセットされる。１１は糊付機本体底部に設けられ、本体前方に傾斜ガイド部１１ａを有する本体ガイドレールで、糊箱９が糊付機本体に挿着される際、図１（ａ）、１（ｂ）に示すように、糊箱９のガイド部９ａ及び傾斜ガイド部９ｂに摺接し、糊箱９の挿脱動作をガイドする。１１ａはガイドレール１１の前方に設けられた傾斜ガイド部である。
【００４２】
次に、本実施の形態による糊付機の糊箱９の挿着動作について説明する。
【００４３】
図１（ａ）に示すように、糊箱９の後部９Ａの端部を糊付機本体のステー上に乗せ、その状態で少し糊箱９を押し込むと、糊箱９はステーや本体ガイドレール１１に当接しながら図上左側へ移動する。このとき糊箱９は糊箱底面のガイド部９ａによって少しづつ後端が持ち上がりながら移動する。糊箱底面の傾斜ガイド部９ｂが本体ガイドレール１１に当接する位置にまで押し込まれると、糊箱９の後部９Ａの端部は糊箱受け１０に当接する。
【００４４】
その状態でさらに糊箱９を押し込むと、糊箱底面の傾斜ガイド部９ｂは、ガイドレール１１と当接しながら移動し、糊箱受け１０に糊箱９の後端部が乗り上がる状態となり、糊箱９のガイド部９ａの湾曲部の曲面でガイドされながら、糊箱９の後端は徐々に上方に押し上げられた状態で押し込まれる。この動作時に糊上ローラー６は糊付ローラー５の下側をくぐり抜ける。
【００４５】
そしてさらに糊箱９を押し込むと、図１（ｃ）の状態の位置で糊箱がセットされる。このとき、糊箱受け１０により、糊上ローラー６は、糊付ローラー５をくぐった後上昇して、糊上ローラー５と所定の間隔になるように位置決めされてセットされる。
【００４６】
この動作をさらに詳記すると、糊箱受け１０と湾曲ガイド部９ａが当接する図１（ｂ）の状態では、糊箱９は、後端が下がった傾斜状態であり、糊上ローラー６は糊付ローラー５の前側と僅かの間隔を保って位置している。この状態で糊箱９をさらに押し込むと、糊箱９の底部の傾斜ガイド部９ｂの右側端部はガイドレール１１の傾斜ガイド部１１ａに移動するように摺接して下方にガイドされ、糊箱９は後部９Ａが糊箱受け１０に支持された状態で上昇し、この動作により、糊上ローラー６は糊付ローラー５の下部をくぐり抜ける。糊上ローラー６が糊付ローラー５の下部をくぐり抜けると、湾曲ガイド部９ａは糊箱受け１０に摺接し、湾曲ガイド部９ａにより糊箱９はさらに持ち上げられ、水平状態にセットされ、糊上ローラー６はドクターローラー４側に定置される。この動作が行われるために、湾曲ガイド部９ａは、糊上ローラー６の支持軸の垂直下方より糊箱受け１０側に設けられる。
【００４７】
また、糊箱受け１０には、糊箱受け１０を糊付機本体に取り付けるための穴１０ａと１０ｂが設けられており、穴１０ａは長穴形状としている。そのため、この長穴１０ａによって糊箱受け１０の取着位置を調整することで、糊付ローラー５と糊上ローラー６との間隔の調整を容易に行うことができる。
【００４８】
本実施の形態では、糊箱の後方の底面を湾曲形状とすることにより、糊箱内に投入できる糊量は減少するが、壁紙糊付機に投入される糊は粘性があり、壁紙糊付機を動作させると、糊箱の前方（図の右側）にローラーの回転によって糊の偏りが生じる。そのため、糊上ローラー６の後方（図１の左側）の糊量が減少しても、有効糊量は変わらないため、糊箱を小型化できるとともに、作業後に糊箱内に残る糊量を減少させることとなるので、作業後の清掃が容易になるという効果を有する。
〔実施の形態２〕
図２は本発明の実施の形態２の壁紙糊付機を示す。図３は図２のＡ矢視図である。
【００４９】
図２、３において、検尺ローラー１からナラシローラー８まで、及び糊箱受け１０、本体ガイドレール１１については、実施の形態１と同じであり説明を省略する。
【００５０】
本実施例の形態では、実施の形態１に記載した湾曲ガイド部に代えて、糊箱９の両側板に糊箱受け１０と係合摺接するガイドレール１２を設けたことを特徴とする。ガイドレール１２の形状は、湾曲ガイド部９ａと同様に、糊上ローラー６の支持軸６ａを通る垂直線より後方から糊箱の後部に向けて凹状に湾曲する湾曲ガイド部１２ａを有している。
【００５１】
次に、本実施の形態による糊付機の糊箱９の挿着動作について説明する。
【００５２】
糊箱９の底部を本体に設けた本体ガイドレール１１の傾斜ガイド部１１ａに沿って後部先端が下がった状態で挿入していくと、糊上ローラー６が糊付ローラー５に接近するにつれ、糊箱９の側面後部先端部に設けられたガイドレール１２が本体底部に設けられた糊箱受け１０に当接し、ガイドレール１２の湾曲ガイド部１２ａに沿って糊箱９は後部先端が徐々に押し上げられながら挿入され、糊上ローラー６は糊付ローラー５をくぐり抜けてドクターローラー４寄りに配置される。
【００５３】
糊箱受け１０は、実施の形態１と同様に、糊上ローラー６と糊付ローラー５の隙間を調整するための取付穴１０ａ、１０ｂを有している。また、従来から知られた糊量検知装置を装着した場合には、糊粘度が変わることにより糊切れ時の重量が変わっても、糊切れを検知できるように、糊箱受け１０は、糊上ローラー６と糊箱９の奥壁面との中間より内側の糊上ローラー寄りに配置される。
【００５４】
図４は、糊箱９を挿入する際、糊箱９及び糊上ローラー６が糊付ローラー５と干渉しないようにするための実施例を示す。
【００５５】
本実施例では、本体フレームの側面にガイド部１４と、糊箱側面に前記ガイド部１４に当接摺動する第２ガイドレール１３を備える。
【００５６】
本体フレームの側面に設けたガイド１４は、糊箱９を水平に挿入する場合に、ガイド１４が糊箱９の側面に設けた第２ガイドレール１３と干渉し、糊箱９先端を糊付ローラー５と干渉しない位置まで下げる。糊箱９は押し下げられた状態で第２ガイドレール１３に沿って挿入され、糊上ローラー６と糊付ローラー５との干渉は防止される。
【００５７】
また、糊を柄杓等にて供給する際には、糊箱９を引出ながら前方を持ち上げるように引き出すことにより、ガイド１４が糊箱９側面の第２ガイドレールのストッパーとなり、その位置において安定した糊の供給が可能となる。（図４（ｃ）参照）
さらに、清掃時には、糊箱９上縁に取り付けられるゴムやスポンジ等の弾性体を使用した清掃用突起物１５を糊付ローラー５に押し付けることにより、糊付ローラー５に付着した糊を掻き落とすことができる。
【００５８】
清掃用突起物１５やガイド１４等は、実施の形態１の壁紙糊付機に適用することができる。
【産業上の利用可能性】
【００５９】
本発明は、簡単な手段により、糊上ローラーをドクターローラー側に配置でき、かつ糊付ローラー間の間隔を容易に調整できるため、高精度、小型化壁紙自動糊付機として好適である。
【図面の簡単な説明】
【００６０】
【図１】本発明の実施の形態１の壁紙糊付機の説明図。
【図２】本発明の実施の形態２の壁紙糊付機の説明図。
【図３】図２のＡ矢視図。
【図４】本発明の実施例の説明図。
【図５】従来の壁紙糊付機の説明図。
【図６】有効糊量を示す糊箱断面図。
【符号の説明】
【００６１】
Ａ  壁紙
１  検尺ローラー
２  送り出しローラー
３  ハイテンションローラー
４  ドクターローラー
５  糊付ローラー
６  糊上ローラー
７  押えローラー
８  ナラシローラー
９  糊箱
９ａ  湾曲ガイド部
９ｂ  傾斜ガイド部
９Ａ  糊箱後部
１０  糊箱受け
１０ａ、１０ｂ  取付穴
１１  本体ガイドレール
１１ａ  傾斜ガイド部
１２  ガイドレール
１２ａ  湾曲ガイド部
１３  第２ガイドレール
１４  ガイド部
１５  清掃用突起物
【図１】
0004696315.tif 000002
【図２】
0004696315.tif 000003
【図３】
0004696315.tif 000004
【図４】
0004696315.tif 000005
【図５】
0004696315.tif 000006
【図６】
0004696315.tif 000007